(57)【要約】  【課題】  化粧鏡が見やすい位置で簡単かつ迅速に頭髪を乾かすことができ、頭頂部や後頭部の髪の状態を調べつつ必要な処置を両方の手で行うことができるヘアドライヤーを提供すること。【解決手段】      関節部（１５，１６，１７）を有するとともにその基端部１２が化粧鏡７の近傍位置に保持されかつその先端部１３が空間を自在に移動可能かつ任意位置で係止可能な自在腕１１と、この自在腕１１の先端部１３に設けられたドライヤー本体２１とを備え、このドライヤー本体２１には、前記化粧鏡７と協働して合わせ鏡となる副鏡３１と、調温空気供給源９１からの温風又は冷風を人体Ｐの頭髪部Ｔの全体に吹き出し可能な空気吹出口６１と、副鏡３１と遮光板５１を介して区分けされた蛍光灯４１とを設ける。【選択図】      図１
2008061656.tif 000002
【特許請求の範囲】
【請求項１】
関節部を有するとともにその基端部が化粧鏡の近傍位置に保持されかつその先端部が空間を自在に移動可能かつ任意位置で係止可能な自在腕と、この自在腕の先端部に設けられたドライヤー本体とを備え、
このドライヤー本体には、前記化粧鏡と協働して合わせ鏡となる副鏡と、調温空気供給源からの温風又は冷風を人体の頭髪部の全体に吹き出し可能な空気吹出口と、副鏡と遮光板を介して区分けされた照明用光源とが設けられたことを特徴とするヘアドライヤー。
【発明の詳細な説明】
【技術分野】
【０００１】
本発明は、人体の頭髪を乾燥可能なヘアドライヤーに関する。
【背景技術】
【０００２】
一般に、浴室や洗面所の壁面には、人体の上半身を映し出せる化粧鏡が取り付けられている。入浴時に洗髪した場合には、この化粧鏡を見ながら、ハンドドライヤーを片手で持って濡れた頭髪の必要箇所に温風（又は冷風）を当てながら、もう一方の手で髪を梳いて頭髪の全体を乾かすことが多い。しかし、片方の手がハンドドライヤーで塞がってしまうのは不便だということで、化粧鏡の上部に温風吹出口を設けた発明が提案されている（例えば、特許文献１）。
【特許文献１】特開平７−７９８４５号公報
【発明の開示】
【発明が解決しようとする課題】
【０００３】
ところで、上記従来技術（特許文献１）では、ハンドドライヤーを手で持つ必要がなく、両方の手が自由に使えるようになるものの、化粧鏡間近に頭部を寄せなければならず、頭髪部の全体像が化粧鏡で見えにくくなる。
【０００４】
また、上記従来技術では、頭髪部の前側の状況は化粧鏡を見るだけで確認できるものの、頭頂部や後頭部の髪の状態を調べたい場合には、片方の手で手鏡を持って頭頂部等にかざし、当該手鏡に映った像を化粧鏡に映してみなければならず（すなわち、手鏡を合わせ鏡とする）、必要な処置（例えば、白髪の部分だけを除去する、禿の部分に養毛剤を振り掛けて擦り込む）するには片方の手で行わなければならず不便であった。
【０００５】
本発明の目的は、化粧鏡が見やすい位置で簡単かつ迅速に頭髪を乾かすことができるとともに、頭頂部や後頭部の髪の状態を調べつつ必要な処置を両方の手で行うことができるヘアドライヤーを提供することにある。
【課題を解決するための手段】
【０００６】
請求項１の発明は、関節部を有するとともにその基端部が化粧鏡の近傍位置に保持されかつその先端部が空間を自在に移動可能かつ任意位置で係止可能な自在腕と、この自在腕の先端部に設けられたドライヤー本体とを備え、このドライヤー本体には、前記化粧鏡と協働して合わせ鏡となる副鏡と、調温空気供給源からの温風又は冷風を人体の頭髪部の全体に吹き出し可能な空気吹出口と、副鏡と遮光板を介して区分けされた照明用光源とが設けられたことを特徴とするヘアドライヤーである。
【０００７】
上記構成の請求項１の発明の場合、自在腕を動かすことによりドライヤー本体を任意の空間位置に係止できるので、化粧鏡で頭髪部がよく見える位置でドライヤー本体の空気吹出口から温風又は冷風を吹き出して髪を乾かすことができる。この際、空気吹出口からは頭髪部の全体に向けて温風又は冷風を吹き出すことができるので、髪を簡単かつ迅速に乾かすことができる。また、ドライヤー本体の係止位置を調節することにより、副鏡に頭頂部や後頭部を映し出し、その像を化粧鏡に写して頭頂部等の状況を鮮明に確認できる。その状態で、自由に使える両方の手で必要な処置（例えば、白髪の部分だけを除去する、禿の部分に養毛剤を振り掛けて擦り込む）を行える。
【発明の効果】
【０００８】
請求項１の発明によれば、化粧鏡が見やすい位置で簡単かつ迅速に頭髪を乾かすことができ、頭頂部や後頭部の髪の状態を調べつつ必要な処置を両方の手で行うことができる。
【発明を実施するための最良の形態】
【０００９】
以下、本発明の最良の実施の形態を図面を参照しながら説明する。
【００１０】
本発明に係るヘアドライヤー１は、図１に示すように、関節部（１５，１６，１７）を有するとともにその基端部１２が化粧鏡７の近傍位置に保持されかつその先端部１３が空間を自在に移動可能かつ任意位置で係止可能な自在腕１１と、この自在腕１１の先端部１３に設けられたドライヤー本体２１とを備え、このドライヤー本体２１には、前記化粧鏡７と協働して合わせ鏡となる副鏡３１と、調温空気供給源９１からの温風又は冷風を人体Ｐの頭髪部Ｔの全体に吹き出し可能な空気吹出口６１と、副鏡３１と遮光板５１を介して区分けされた照明用光源（４１）とが設けられた構成とされている。
【００１１】
以下、本ヘアドライヤー１の各構成要素について詳細に説明する。
【００１２】
まず、自在腕１１は、複数（この実施例では３つ）の関節部（１５，１６，１７）を有しており、その基端部１２は万力１９を用いて化粧鏡７を備えた洗面台５の上部６に水平方向に回動可能に保持されている。この自在腕１１は、各関節部（１５，１６，１７）を中心として折り曲げ可能に設けられており、当該基端部１２の回動および各関節部（１５，１６，１７）を中心とした折り曲げによって、その先端部１３は空間を自在に移動することができるとともに任意の位置で係止できるように構成されている。この自在腕１１の先端部１３には、ドライヤー本体２１が設けられている。
【００１３】
ドライヤー本体２１は、図２および図３に示すように、円形状の支持円板２２を有しており、当該支持円板２２には傘状のカバー７１が取り付けられている。この支持円板２２は、カバー７１を介して自在腕１１の先端部１３に装着されている。この支持円板２２の中央部には、図３に示すように、円形状の副鏡３１が装着されている。この実施形態では、副鏡３１は、鏡面が外側に凸に湾曲する凸面鏡とされている。
【００１４】
また、支持円板２２には、副鏡３１と遮光板５１を介して区分けされた照明用光源（４１）が設けられている。この実施形態では、照明用光源は、複数の止め具４２を介して副鏡３１を取り囲むように配置された円環状の蛍光灯４１とされている。副鏡３１と蛍光灯４１の間には、円形バンド状の遮光板４２が設けられており、蛍光灯４１の光が直接に副鏡３１に入らないように構成されている。
【００１５】
この蛍光灯４１よりも外側の支持円板２２の部分には、熱風又は冷風を吹き出す開口部分（すなわち、空気吹出口６１）が設けられている。この実施形態では、空気吹出口６１は、図３に示すように、同心円上に設けられた略四分円弧形状の４つの開口部６２から形成されている。この空気吹出口６１へは、図１に示すように、ホース８１を介して調温空気供給源９１から温又は冷風が選択的に供給される。なお、調温空気供給源９１は、ヒーターと、ヒーターへ供給する電流を制御して送風する空気の温度を調節する温度制御部と、ファンを備えた構成とされている。調温空気供給源９１をドライヤー本体２１へ装着してもよい。この場合は、ホース８１が不要となる。なお、図２中、７５は円錐形状の内側ガイドで、カバー７１内面と協働して調温空気供給源９１からの温風又は冷風を空気吹出口６１へ案内する部材である。
【００１６】
上記構成の本ヘアドライヤー１では、自在腕１１を動かすことによりドライヤー本体２１を任意の空間位置に係止できるので、図１に示すように、化粧鏡７で頭髪部Ｔがよく見える位置で、ドライヤー本体２１の空気吹出口６１から温風又は冷風（ＡＲ）を吹き出して髪を乾かすことができる。また、この空気吹出口６１からは頭髪部Ｔの全体に向けて温風又は冷風（ＡＲ）が吹き出されるので、髪を簡単かつ迅速に乾かすことができる。
【００１７】
また、ドライヤー本体２１の位置を適宜調節することにより、副鏡３１に頭頂部Ｔ２や後頭部Ｔ３を映し出し、その像を化粧鏡７に写して頭頂部Ｔ２等の状況を確認できる。この際、頭頂部Ｔ２等は蛍光灯４１によって照らされているので、頭頂部Ｔ２等の状況は一段と鮮明に確認できる。また、副鏡３１は凸面鏡であるので、頭頂部Ｔ２等の像が化粧鏡７に大きく映されるので、この点からも頭頂部Ｔ２等の状況を一段と鮮明に確認できる。その状態で、自由に使える両方の手で必要な処置（例えば、白髪の部分だけを除去する、禿の部分に養毛剤を振り掛けて擦り込む等）を行える。
【００１８】
なお、本ヘアドライヤー１は、不使用時には自在腕１１を折り畳んで洗面台５の上部６付近に纏めておけるので、邪魔にならない。
【００１９】
なお、本実施形態では、照明用光源を蛍光灯としたが、これに限定されるものではなく、例えばＬＥＤから構成してもよい。
【００２０】
また、本実施形態では、副鏡３１を凸面鏡としたが、鏡面が平板状の鏡でもよい。
【図面の簡単な説明】
【００２１】
【図１】本発明に係るヘアドライヤーの全体構成を説明するための図である。
【図２】ドライヤー本体の構成を説明するための縦断面図である。
【図３】ドライヤー本体の主要部を説明するための底面図である。
【図４】ドライヤー本体の全体構成を示す斜視図である。
【符号の説明】
【００２２】
１    ヘアドライヤー
１１    自在腕
２１    ドライヤー本体
２２  支持円板
３１    副鏡
４１    蛍光灯（照明用光源）
４２  止め具
５１    遮光板
６１    空気吹出口
７１    カバー
８１  ホース
９１  調温空気供給源
【図１】
2008061656.tif 000003
【図２】
2008061656.tif 000004
【図３】
2008061656.tif 000005
【図４】
2008061656.tif 000006